(57)【特許請求の範囲】
【請求項１】
対象領域に配置した放水ヘッドを介して放水を行うことにより当該対象領域の内部に防火用の水幕を形成する防火システムであって、
上記放水ヘッドを、上記対象領域の床面において、天井面に向けて放水可能になるように配置し、
上記放水ヘッドから放水された水を、天井面に向う際に円錐状に拡散させることで第１の水幕を形成可能とすると共に、自重で床面に落下する際に第２の水幕を形成可能としたこと、
を特徴とする防火システム。
【請求項２】
対象領域に配置した放水ヘッドを介して放水を行うことにより当該対象領域の内部に防火用の水幕を形成する防火システムであって、
上記放水ヘッドを、上記対象領域の側面において、天井面に向けて放水可能になるように配置し、
上記放水ヘッドから放水された水を、天井面に向う際に円錐状に拡散させることで第１の水幕を形成可能とすると共に、自重で床面に落下する際に第２の水幕を形成可能としたこと、
を特徴とする防火システム。
【請求項３】
上記放水ヘッドは、当該放水ヘッドまたは当該放水ヘッドの設置箇所に対して取り外し自在のヘッドカバーを備えること、を特徴とする請求項１又は２に記載の防火システム。
【請求項４】
上記ヘッドカバーの外面を、上記放水ヘッドの設置箇所の外面に対して面一状にしたこと、を特徴とする請求項３に記載の防火システム。
【請求項５】
上記ヘッドカバーを、上記放水ヘッドの放水圧力によって、当該放水ヘッドまたは当該放水ヘッドの設置箇所から取り外し自在としたこと、を特徴とする請求項３又は４に記載の防火システム。
【発明の詳細な説明】
【０００１】
【発明の属する技術分野】
本発明は、対象領域の内部に防火用の水幕を形成する水幕式防火システムに関し、特に、放水ヘッドの設置位置に特徴を有する防火システムに関する。
【０００２】
【従来の技術】
従来から、防火の対象領域内に水幕（ウォータースクリーン）を形成する、水幕式の防火システムが提案されている（本件出願人による特願２００１−５１５２０号参照）。この防火システムは、対象領域の天井に設けた放水ヘッドと、この放水ヘッドに水を加圧供給する水供給機構と、対象領域内における火災発生を感知する火災感知機構とを備えて構成されていた。そして、対象領域内で火災が発生したことが火災感知機構によって感知されると、水供給機構によって放水ヘッドに水が供給され、この放水ヘッドから対象領域に対して水が粒子状に放水されて円錐状に拡散し、水幕が形成される。
【０００３】
このような水幕式の防火システムによれば、水幕によって対象領域を隔絶して防火区画を形成し、この防火区画に上記火災による炎や煙が侵入することを防止して延焼等を防ぐことができる。また、この防火システムによれば、水幕の内外を人が出入りすることができるので避難活動や救助活動をスムーズに行うことができると共に、防火区画の境界上に障害物が存在していても、この障害物の形状に応じて水幕が形成されるので隔絶性を維持することができる。
【０００４】
このような水幕式防火システムにおいて、従来、放水を行う放水ヘッドは、単に天井面から突出するように配置されていた。すなわち、天井から対象領域の内部に露出するように放水ヘッドが設けられており、対象領域の天井裏面に設けた給水管から供給された水が、放水ヘッドから下方（床面側）に向けて放水されていた。
【０００５】
【発明が解決しようとする課題】
しかしながら、このような従来の放水ヘッドは、単に天井に放水ヘッドを設けて下方に向けて放水を行うように構成されていたので、水が単に下方に集約的に放水されてしまい、防火に寄与する十分な幅の水幕を形成することが困難であった。このため、放水ヘッドを大径化したり加水圧力を高めることによって広幅の水幕を形成したり、放水ヘッドから放水された水を拡散させるための拡散板等を別個に設けたり、放水ヘッドの数を増やして水幕の間に隙間が生じないようにする必要がある等、防火性能を高めるために付加的な工夫が必要になり、設備が複雑になったり設備コストが増大する一因になっていた。
【０００６】
本発明は上記問題に鑑みてなされたもので、効率よく広幅の水幕を形成して防火性能を高めること等ができる、防火システムを提供することを目的としている。
【０００７】
【課題を解決するための手段】
このような目的を達成するため、請求項１に記載の防火システムは、対象領域に配置した放水ヘッドを介して放水を行うことにより当該対象領域の内部に防火用の水幕を形成する防火システムであって、上記放水ヘッドを、上記対象領域の床面において、天井面に向けて放水可能になるように配置し、上記放水ヘッドから放水された水を、天井面に向う際に円錐状に拡散させることで第１の水幕を形成可能とすると共に、自重で床面に落下する際に第２の水幕を形成可能としたことを特徴とする。
【０００８】
このシステムによれば、放水ヘッドを、対象領域の床面に配置したので、放水ヘッドから天井側に放水された水が、放水後に第１の水幕を形成して基本的な防火能力を発揮し、自重で床面に落下する際に第２の水幕を形成して防火能力を一層向上させるので、放水ヘッドの数や放水量を増やすことなく、防火能力を高めることができる。
【０００９】
また、請求項２に記載の防火システムは、対象領域に配置した放水ヘッドを介して放水を行うことにより当該対象領域の内部に防火用の水幕を形成する防火システムであって、上記放水ヘッドを、上記対象領域の側面において、天井面に向けて放水可能になるように配置し、上記放水ヘッドから放水された水を、天井面に向う際に円錐状に拡散させることで第１の水幕を形成可能とすると共に、自重で床面に落下する際に第２の水幕を形成可能としたことを特徴とする。
【００１０】
このシステムによれば、放水ヘッドを、対象領域の側面に配置したので、放水ヘッドから天井側に放水された水が、放水後に第１の水幕を形成して基本的な防火能力を発揮し、自重で床面に落下する際に第２の水幕を形成して防火能力を一層向上させるので、放水ヘッドの数や放水量を増やすことなく、防火能力を高めることができる。
【００１３】
また、請求項３に記載の防火システムは、請求項１又は２に記載の防火システムにおいて、上記放水ヘッドは、当該放水ヘッドまたは当該放水ヘッドの設置箇所に対して取り外し自在のヘッドカバーを備えることを特徴とする。
【００１４】
このシステムによれば、ヘッドカバーが設置されているので、放水ヘッドやその周囲を塞ぎ、放水ヘッドにゴミ等が入ることを防止できると共に、放水ヘッドが対象領域に露出して意匠性を損ねること等を防止できる。
【００１５】
また、請求項４に記載の防火システムは、請求項３に記載の防火システムにおいて、上記ヘッドカバーの外面を、上記放水ヘッドの設置箇所の外面に対して面一状にしたことを特徴とする。
【００１６】
このシステムによれば、ヘッドカバーを取り付けた状態においては、ヘッドカバーとその周囲との段差がなくなり、ヘッドカバーがその周囲に一体化して、人がヘッドカバーに躓くこと等を防止できると共に、意匠性を向上させることができる。
【００１７】
また、請求項５に記載の防火システムは、請求項３又は４に記載の防火システムにおいて、上記ヘッドカバーを、上記放水ヘッドの放水圧力によって、当該放水ヘッドまたは当該放水ヘッドの設置箇所から取り外し自在としたことを特徴とする。
【００１８】
このシステムによれば、放水時には、人手を介することなくヘッドカバーが自動的に外れるので、迅速かつ容易に放水を行なうことができる。
【００１９】
【発明の実施の形態】
以下に、本発明にかかる防火システムの実施の形態を図面に基づいて詳細に説明する。なお、この実施の形態によりこの発明が限定されるものではない。
【００２０】
〔第１の実施の形態〕
まず、第１の実施の形態について説明する。図１は本実施の形態にかかる防火システムの非放水状態における側面図、図２は防火システムの放水状態における側面図、図３は水幕式防火システムの全体概要を示す斜視図である。
【００２１】
図３に示すように、建物内部において、防火の対象になる所定の対象領域１には、防火システム１０、および、制御システム２０が設置されている。
【００２２】
このうち、防火システム１０は、放水を行うことにより対象領域１の内部に水幕（図において符号Ｗ）を形成する防火手段であり、対象領域１の床面４および天井面５に設けた複数の放水ヘッド１１と、これら複数の放水ヘッド１１に水を加圧供給する水供給機構１２とを備えて構成されている。
【００２３】
このうち、複数の放水ヘッド１１は列状に配置されて、全体として放水列１３が形成されている。また、水供給機構１２は、ポンプ１４、給水本管１５、放水弁１６、給水支管１７を備えて構成されている。このような構成において、後述する制御システム２０の機能によって放水弁１６が開放されると、図示しない水源の水がポンプ１４によって加圧され、この水が給水本管１５および給水支管１７を経て各放水ヘッド１１に供給され、この水が放水ヘッド１１から粒子状に放水されて円錐状に拡散することによって、水幕が形成される。そして、この水幕を境界として、対象領域１が第１の防火区画２と第２の防火区画３とに区画される。
【００２４】
また、制御システム２０は、対象領域１の内部において所定状態が検知された際、防火システム１０を起動する制御手段である。図３に示すように制御システム２０は、防火区画における火災発生を感知する火災感知器２１と、この火災感知器２１からの出力に基づいて、防火システム１０の制御を行う制御盤２２とを備えて構成されている。そして、火災感知器２１によって火災発生が感知されると、上記水供給機構１２の放水弁１６に対して弁開放を指示する指示信号を出力する。このことにより、上述のように放水ヘッド１１からの放水が行われる。
【００２５】
〔放水ヘッド１１の構成〕
次に、放水ヘッド１１の構成について詳細に説明する。図４は非放水時における放水ヘッド１１およびその周辺の拡大図、図５は図４の放水ヘッド１１の平面図、図６は放水時における放水ヘッド１１およびその周辺の拡大図、図７は図６の放水ヘッド１１の平面図である。
本実施の形態において、放水ヘッド１１は、対象領域１の床面４に配置されている。すなわち、図４〜７に示すように、床面４の内部には放水ヘッド１１を略完全に収容し得る収容スペース６が形成されており、この収容スペース６の内部に、放水ヘッド１１が配置されている。この状態において、放水ヘッド１１は、その先端部１１ａが床面４の上面４ａよりも下方に位置して、床面４から突出することのない状態で配置されている。
【００２６】
この放水ヘッド１１は、その先端部１１ａが天井面５に向くように配置されており、天井面５に向けて放水が可能になっている。ここで、床面４には、放水ヘッド１１の収容位置に対応する位置に、放水ヘッド１１よりも大きな径の放水口４ｂが穿設されており、放水ヘッド１１から放水された水が、この放水口４ｂを介して、天井面５に向けて放水される。
【００２７】
このように放水ヘッド１１を床面４に設けたことにより、下記のような効果が発揮される。すなわち、図２に示すように、放水ヘッド１１から天井面５に向けて放水された水は、天井面５の近傍に至る迄の間に、第１の水幕Ｗ１を形成し、基本的な防火能力を発揮する。また、このように放水された水は、天井面５の近傍に達した後、自重で床面４に落下するが、この際に上記第１の水幕Ｗ１とは異なる第２の水幕Ｗ２を形成する。そして、この第２の水幕Ｗ２によって、防火能力が一層向上するので、放水ヘッド１１の数や放水量を増やすことなく、防火能力を高めることができる。
【００２８】
特に、本実施の形態において、放水ヘッド１１は、当該放水ヘッド１１または当該放水ヘッド１１の設置箇所から取り外し自在のヘッドカバー３０を備える。すなわち、図４に示すように、放水ヘッド１１の先端部１１ａには、当該先端部１１ａの側方を略囲う枠体１１ｂが固定されている。そして、この枠体１１ｂに対して、ヘッドカバー３０が、着脱自在に取り付けられている。
【００２９】
このヘッドカバー３０は、平坦部３１と、この平坦部３１の下方に配置された取り付けバネ３２とを備えて構成されている。このうち、平坦部３１は、放水口４ｂより若干大きな径の円形板であり、後述するように、この放水口４ｂの周囲に形成された凹部４ｃに略収まるように配置される。また、取り付けバネ３２は、放水ヘッド１１の先端部１１ａ側に向う締め付け力を有する板バネであり、左右の両方から枠体１１ｂの側部を挟持することによって、この枠体１１ｂに対して固定されている。このように放水ヘッド１１にヘッドカバー３０を設けることにより、放水ヘッド１１やその周囲を塞ぎ、放水ヘッド１１にゴミ等が入ることを防止できると共に、放水ヘッド１１が対象領域１に露出して意匠性を損ねること等を防止できる。
【００３０】
特に、本実施の形態において、ヘッドカバー３０の外面は、放水ヘッド１１の設置箇所の外面に対して面一状になるように配置されている。すなわち、図６、７に示すように、放水口４ｂの周囲には、ヘッドカバー３０の平坦部３１を略収容する凹部４ｃが形成されており、図４、５に示すように、ヘッドカバー３０を取り付けた状態においては、平坦部３１が凹部４ｃに収容されて、その外面が床面４に対して面一状になる。このため、ヘッドカバー３０とその周囲との段差がなくなり、ヘッドカバー３０がその周囲に一体化して、人がヘッドカバー３０に躓くこと等を防止できると共に、意匠性を向上させることができる。
【００３１】
このように配置されたヘッドカバー３０は、放水時には、取り付けバネ３２の締め付け力に抗しつつ、ヘッドカバー３０を天井面５側に引き上げることによって、取り付けバネ３２を枠体から外し、ヘッドカバー３０を放水ヘッド１１から外すことができ、放水を行なうことができる。
【００３２】
特に、本実施の形態において、ヘッドカバー３０が、放水ヘッド１１の放水圧力によって、当該放水ヘッド１１または当該放水ヘッド１１の設置箇所から取り外し自在とされている。すなわち、ヘッドカバー３０を固定する取り付けバネ３２の締め付け力を、放水圧力がない場合には不用意に外れず、かつ、放水圧力がある場合には、この放水圧力によって天井面５側に持ち上げられ、床面４から外れるように調整している。したがって、放水時には、人手を介することなくヘッドカバー３０が自動的に外れるので、迅速かつ容易に放水を行なうことができる。また、このヘッドカバー３０は、放水停止後に、枠体１１ｂに対して再び取り付けることができ、現状復帰が容易である。
【００３３】
〔第２の実施の形態〕
次に、第２の実施の形態について説明する。ただし、特に説明なき構成および処理については第１の実施の形態と同様であり、同様の構成要素を実施の形態１と同じ名称および符号を付して説明する。この実施の形態は概略的に、対象領域１の側面に放水ヘッドを配置した防火システム１０に関するものである。図８は本実施の形態にかかる防火システム１０の放水状態における側面図、図９は非放水時における放水ヘッド４０およびその周辺の拡大図、図１０は放水時における放水ヘッド４０およびその周辺の拡大図である。
【００３４】
この実施の形態において、放水ヘッド４０は、対象領域１の側面７に配置されている。すなわち、側面７の内部には放水ヘッド４０を略完全に収容し得る収容スペース８が形成されており、この収容スペース８の内部に、放水ヘッド４０が配置されている。この状態において、放水ヘッド４０は、その先端部４０ａが側面７よりも内側に位置して、側面７から突出することのない状態で配置されている。
【００３５】
この放水ヘッド４０は、その先端部４０ａが、天井面５に向くように配置されており、天井面５に向けて放水が可能になっている。ここで、床面４には、放水ヘッド４０の収容位置に対応する位置に、放水ヘッド４０よりも大きな径の放水口７ａが穿設されており、放水ヘッド４０から放水された水が、この放水口７ａを介して、天井面５に向けて放水される。
【００３６】
このように放水ヘッド４０を側面７に設けた場合においても、図８に示すように、放水ヘッド４０から天井面５に向けて放水された水は、天井面５の近傍に至る迄の間に、第１の水幕Ｗ１を形成して基本的な防火能力を発揮し、また、放水された水が天井面５の近傍に達した後で床面４に落下することで第２の水幕Ｗ２を形成する。そして、この第２の水幕Ｗ２によって、防火能力が一層向上するので、放水ヘッド４０の数や放水量を増やすことなく、防火能力を高めることができる。
【００３７】
また、側面７にはヘッドカバー５０が設けられている。このヘッドカバー５０は、側面７に固定されたヒンジ部５１と、このヒンジ部５１を中心に回動する平坦部５２とを備えて構成されている。そして、図９に示すように、非放水時においては、平坦部５２が、放水口７ａの周囲に形成された凹部７ｂに収容されて、その外面が側面７の外面と略面一状になって、放水ヘッド４０を対象領域１に対して非露出状にカバーする。また、図１０に示すように、放水時においては、平坦部５２が放水圧力によってヒンジ部５１を中心に自動的に回転し、放水口７ａを開放して放水を可能にする。また、このヘッドカバー５０は、放水停止後に、ヒンジ部５１を中心に回動させることで再び放水前の状態に復帰させることができ、現状復帰が容易である。
【００３８】
〔他の実施の形態〕
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００３９】
例えば、放水ヘッド１１、４０は、床面４と側面７の両方に設けることもできる。また、放水ヘッド１１、４０は、必ずしも天井面５に向けて配置される必要はなく、また、その放水は、必ずしも天井面５に達する必要はない。すなわち、少なくとも放水直後の第１の水幕Ｗ１と、水が自重落下する際の第２の水幕Ｗ２とを形成できる限り、放水ヘッド１１、４０は任意の位置に任意の向きで配置することができる。
【００４０】
また、ヘッドカバー３０、５０は必須の構成要素ではなく、このヘッドカバー３０、５０を省略して、放水ヘッド１１、４０を対象領域１に露出させることもできる。また、放水ヘッド１１、４０は、床面４や側面７から対象領域１に向けて突出するように配置してもよい。また、ヘッドカバー３０、５０を設ける場合においても、その取り付け構造は自由に改変することができる。例えば、ヘッドカバー３０、５０は、放水ヘッド１１、４０に対してでなく、床面４や側面７に対して取り付けるようにしてもよい。また、ヘッドカバー３０、５０は、人手で着脱するようにしてもよい。
【００４１】
【発明の効果】
以上説明したように、本発明によれば、放水ヘッドを、上記対象領域の床面において、天井面に向けて放水可能になるように配置し、上記放水ヘッドから放水された水を、天井面に向う際に円錐状に拡散させることで第１の水幕を形成可能とすると共に、自重で床面に落下する際に第２の水幕を形成可能としたので、床面の放水ヘッドから放水された水が、放水後に第１の水幕を形成して基本的な防火能力を発揮し、自重で床面に落下する際に第２の水幕を形成して防火能力を一層向上させるので、放水ヘッドの数や放水量を増やすことなく、防火能力を高めることができる。
【００４２】
また、本発明によれば、放水ヘッドを、上記対象領域の側面において、天井面に向けて放水可能になるように配置し、上記放水ヘッドから放水された水を、天井面に向う際に円錐状に拡散させることで第１の水幕を形成可能とすると共に、自重で床面に落下する際に第２の水幕を形成可能としたので、側面の放水ヘッドから放水された水が、放水後に第１の水幕を形成して基本的な防火能力を発揮し、自重で床面に落下する際に第２の水幕を形成して防火能力を一層向上させるので、放水ヘッドの数や放水量を増やすことなく、防火能力を高めることができる。
【００４４】
また、本発明によれば、ヘッドカバーが設置されているので、放水ヘッドやその周囲を塞ぎ、放水ヘッドにゴミ等が入ることを防止できると共に、放水ヘッドが対象領域に露出して意匠性を損ねること等を防止できる。
【００４５】
また、本発明によれば、ヘッドカバーを取り付けた状態においては、ヘッドカバーとその周囲との段差がなくなり、ヘッドカバーがその周囲に一体化して、人がヘッドカバーに躓くこと等を防止できると共に、意匠性を向上させることができる。
【００４６】
また、本発明によれば、放水時には、人手を介することなくヘッドカバーが自動的に外れるので、迅速かつ容易に放水を行なうことができる。
【図面の簡単な説明】
【図１】本発明の第１の実施の形態にかかる防火システムの非放水状態における側面図である。
【図２】防火システムの放水状態における側面図である。
【図３】水幕式防火システムの全体概要を示す斜視図である。
【図４】非放水時における放水ヘッドおよびその周辺の拡大図である。
【図５】図４の放水ヘッドの平面図である。
【図６】放水時における放水ヘッドおよびその周辺の拡大図である。
【図７】図６の放水ヘッドの平面図である。
【図８】第２の実施の形態にかかる防火システムの放水状態における側面図である。
【図９】非放水時における放水ヘッドおよびその周辺の拡大図である。
【図１０】放水時における放水ヘッドおよびその周辺の拡大図である。
【符号の説明】
１  対象領域
２  第１の防火区画
３  第２の防火区画
４  床面
５  天井面
６  収容スペース
７  側面
１０  防火システム
１１、４０  放水ヘッド
１２  水供給機構
２０  制御システム
２１  火災感知器
２２  制御盤
３０、５０  ヘッドカバー
【図１】
0003793731.tif 000002
【図２】
0003793731.tif 000003
【図３】
0003793731.tif 000004
【図４】
0003793731.tif 000005
【図５】
0003793731.tif 000006
【図６】
0003793731.tif 000007
【図７】
0003793731.tif 000008
【図８】
0003793731.tif 000009
【図９】
0003793731.tif 000010
【図１０】
0003793731.tif 000011